(57)【特許請求の範囲】
【請求項１】
洗い場を形成する防水パンには、下方へ凹み状に排水枡部が形成され、
前記排水枡部は、排水口の外周側に凹部底面が形成されて、該凹部底面の外周に、上端が洗い場と連続する凹部立上壁が形成されてなり、
該排水枡部の排水口に、取手付きのヘアキャッチャーが取り付けられ、前記洗い場からの排水が排水枡部の凹部底面内に流入して前記ヘアキャッチャーに流れ込むように構成された防水パンの排水枡部において、
固定部の一端から上方に立ち上げて堤防部が一体形成された堤防部材を、前記取手の外側に前記堤防部を立設させて前記凹部底面に固定し、前記排水が前記堤防部に遮られて前記取手にはいかず取手を迂回してヘアキャッチャーに流れ込むように構成したことを特徴とする防水パンの排水枡部。
【請求項２】
洗い場を形成する防水パンには、下方へ凹み状に排水枡部が形成され、
前記排水枡部は、排水口の外周側に凹部底面が形成されて、該凹部底面の外周に、上端が洗い場と連続する凹部立上壁が形成されてなり、
該排水枡部の排水口に、取手付きのヘアキャッチャーが取り付けられ、前記洗い場からの排水が排水枡部の凹部底面内に流入して前記ヘアキャッチャーに流れ込むように構成された防水パンの排水枡部において、
固定部の一端から上方に立ち上げて堤防部が一体形成された堤防部材を、前記排水枡部の凹部底面の下方に取り付けられる排水トラップの上面であるフランジ部に取り付け、前記取手へ向かう排水を前記堤防部材で遮蔽して迂回させ前記ヘアキャッチャーに流れ込むように構成したことを特徴とする防水パンの排水枡部。
【発明の詳細な説明】
【技術分野】
【０００１】
本発明は、浴室における防水パンの排水枡部に関するものである。
【背景技術】
【０００２】
従来、特許文献１に開示されているように、ユニットバス等の排水トラップに冠着自在にヘアキャッチャーが取り付けられ、このヘアキャッチャーで髪の毛等のゴミを捕集できるように構成されており、ヘアキャッチャーには、指で挟んでヘアキャッチャーを持ち上げることができるように取手が設けられている。
【特許文献１】特開２００２−１３１７６号公報
【発明の開示】
【発明が解決しようとする課題】
【０００３】
ヘアキャッチャーの取手はヘアキャッチャー本体よりも上方に突出しているが、この取手の部分に排水が流れ込むと、排水中の髪の毛等のゴミが取手に絡み付いて取手が汚れてしまい、指で挟んで持つ時に抵抗感が生じ、不衛生であるという問題点があった。
【課題を解決するための手段】
【０００４】
本発明は上記従来の問題点に鑑み案出したものであって、取手に髪の毛等が絡み付くことがなく、ヘアキャッチャーの取手が汚れない防水パンの排水枡部を提供するものであり、その請求項１は、洗い場を形成する防水パンには、下方へ凹み状に排水枡部が形成され、
前記排水枡部は、排水口の外周側に凹部底面が形成されて、該凹部底面の外周に、上端が洗い場と連続する凹部立上壁が形成されてなり、
該排水枡部の排水口に、取手付きのヘアキャッチャーが取り付けられ、前記洗い場からの排水が排水枡部の凹部底面内に流入して前記ヘアキャッチャーに流れ込むように構成された防水パンの排水枡部において、
固定部の一端から上方に立ち上げて堤防部が一体形成された堤防部材を、前記取手の外側に前記堤防部を立設させて前記凹部底面に固定し、前記排水が前記堤防部に遮られて前記取手にはいかず取手を迂回してヘアキャッチャーに流れ込むように構成したことである。
【０００５】
また、請求項２は、洗い場を形成する防水パンには、下方へ凹み状に排水枡部が形成され、
前記排水枡部は、排水口の外周側に凹部底面が形成されて、該凹部底面の外周に、上端が洗い場と連続する凹部立上壁が形成されてなり、
該排水枡部の排水口に、取手付きのヘアキャッチャーが取り付けられ、前記洗い場からの排水が排水枡部の凹部底面内に流入して前記ヘアキャッチャーに流れ込むように構成された防水パンの排水枡部において、
固定部の一端から上方に立ち上げて堤防部が一体形成された堤防部材を、前記排水枡部の凹部底面の下方に取り付けられる排水トラップの上面であるフランジ部に取り付け、前記取手へ向かう排水を前記堤防部材で遮蔽して迂回させ前記ヘアキャッチャーに流れ込むように構成したことである。
【発明の効果】
【０００６】
本発明は、洗い場を形成する防水パンには、下方へ凹み状に排水枡部が形成され、
前記排水枡部は、排水口の外周側に凹部底面が形成されて、該凹部底面の外周に、上端が洗い場と連続する凹部立上壁が形成されてなり、
該排水枡部の排水口に、取手付きのヘアキャッチャーが取り付けられ、前記洗い場からの排水が排水枡部の凹部底面内に流入して前記ヘアキャッチャーに流れ込むように構成された防水パンの排水枡部において、
固定部の一端から上方に立ち上げて堤防部が一体形成された堤防部材を、前記取手の外側に前記堤防部を立設させて前記凹部底面に固定し、前記排水が前記堤防部に遮られて前記取手にはいかず取手を迂回してヘアキャッチャーに流れ込むように構成したことにより、ヘアキャッチャーの取手に向かって流れる排水が堤防部で遮られ、取手に排水中の髪の毛等が絡み付くことがなく、取手は汚れないために、抵抗感なく取手を持ってヘアキャッチャーを持ち上げることができ、衛生的なものとなる。
【０００７】
また、洗い場を形成する防水パンには、下方へ凹み状に排水枡部が形成され、
前記排水枡部は、排水口の外周側に凹部底面が形成されて、該凹部底面の外周に、上端が洗い場と連続する凹部立上壁が形成されてなり、
該排水枡部の排水口に、取手付きのヘアキャッチャーが取り付けられ、前記洗い場からの排水が排水枡部の凹部底面内に流入して前記ヘアキャッチャーに流れ込むように構成された防水パンの排水枡部において、
固定部の一端から上方に立ち上げて堤防部が一体形成された堤防部材を、前記排水枡部の凹部底面の下方に取り付けられる排水トラップの上面であるフランジ部に取り付け、前記取手へ向かう排水を前記堤防部材で遮蔽して迂回させ前記ヘアキャッチャーに流れ込むように構成したことにより、取手へ向かう排水を遮蔽して良好に迂回させることができ、フランジ部に対しヘアキャッチャーの位置が固定され、ヘアキャッチャーの取手と堤防部材が必ず一致するので、フランジ部の取付位置が限定されないため施工し易いものとなり、それぞれの現場の状況に合わせて排水の流れに適した堤防部の位置に修正することができるものとなる。
【実施例】
【０００８】
以下、本発明の実施例を図面に基づいて説明する。
図１は、浴室の概略斜視構成図であり、浴室１内には浴槽２が設けられており、洗い場３ａを形成する防水パン３の浴槽２側には、下方へ凹み状に排水枡部３ｂが一体形成されており、この排水枡部３ｂには排水口３ｃが形成されている。
【０００９】
この排水口３ｃには図２に拡大斜視図で示すように、着脱可能にヘアキャッチャー４が取り付けられており、ヘアキャッチャー４には、指で挟んで持ち上げることのできる取手５が一体形成されている。この取手５は、ヘアキャッチャー４の外周から立ち上がる立上片５ａと、立上片５ａの上端で略水平に外側へ延びる水平片５ｂでＬ字状に形成されている。
【００１０】
排水枡部３ｂの上部は、ヘアキャッチャー４を取り付ける排水口３ｃの外周側に排水勾配の傾斜をもつ面状の凹部底面３２が形成されており、凹部底面３２の外周に凹部立上壁３１が形成されて、この凹部立上壁３１の上端が洗い場３ａと連続しており、この排水枡部３ｂの凹部底面３２には、ヘアキャッチャー４の取手５の外側に堤防部材６が取り付けられている。
【００１１】
この堤防部材６は、ＦＲＰで別体に形成されたものであり、凹部底面３２に当接する面をもつ固定部６ａの一端から上方に立ち上げて堤防部６ｂが一体形成されており、固定部６ａを凹部底面３２に貼着等して固定させることで、堤防部６ｂを取手５の外側に立設させて、取手５に排水が流れていかないようにすることができるものである。
【００１２】
洗い場３ａからの排水は、排水枡部３ｂの凹部底面３２内に流入して、ヘアキャッチャー４に流れ込み、排水中の髪の毛等のゴミがヘアキャッチャー４で捕集されるのであるが、排水は堤防部６ｂに遮られて取手５にはいかず、取手５の周囲を迂回してヘアキャッチャー４に流れ込むものであり、取手５には排水がいかないために、取手５に排水中の髪の毛等が絡み付くことがなく、また排水の汚れが取手５に付着することがなく、そのため、取手５には汚れが付き難いものとなり、良好にこの取手５を指で挟んでヘアキャッチャー４を上方に持ち上げて、ヘアキャッチャー４に捕集された髪の毛等を落とすことができるものである。
また、取手５は汚れていないために、取手５を持つ時の抵抗感が軽減されて、指が汚れることがなく、衛生的にヘアキャッチャー４を持ち上げることができるものとなる。
【００１３】
なお、図２では、取手５はヘアキャッチャー４の外周に１ヶ所のみ形成されているが、ヘアキャッチャー４の外周に対向状に２ヶ所、取手５，５が設けられているような場合には、それぞれの取手５，５の外側にそれぞれ堤防部材６を取り付けて、堤防部６ｂで取手５へ向かう排水を遮蔽して迂回させることができるものである。
【００１４】
なお、本例では、堤防部材６は、防水パン３とは別体で形成したものを後付けできるように構成しているが、排水枡部３ｂの凹部底面３２に予め一体で上方へ立ち上げて堤防部６ｂを排水口３ｃの外周に形成させておいても良く、このように堤防部６ｂが一体形成されている場合には、この堤防部６ｂにヘアキャッチャー４の取手５を整合させて、ヘアキャッチャー４を排水口３ｃに取り付けることで、取手５に排水がかかるのを防ぎ、また取手５の汚れを防ぐことができるものとなる。
また、堤防部６ｂは、取手５へ水がかからないようにできるものであれば、ブロック状のものであっても、円弧状のものであっても、形状は限定されるものではない。
【００１５】
なお、図３は変更例を示すものであり、図３では、排水枡部３ｂの凹部底面３２の下方に取り付けられる図示しない排水トラップの上面であるフランジ部７に、堤防部材６を取り付けたものであり、この堤防部材６は、ヘアキャッチャー４の取手５の水平片５ｂの下部位置に配置されたものであり、取手５へ向かう排水を遮蔽して良好に迂回させることができるものである。
このような構成では、フランジ部７に対しヘアキャッチャー４の位置が固定され、ヘアキャッチャーの取手５と堤防部６ｂが必ず一致するので、フランジ部７の取付位置が限定されないため施工し易いものとなり、それぞれの現場の状況に合わせて排水の流れに適した堤防部６ｂの位置に修正することができるものとなる。
【図面の簡単な説明】
【００１６】
【図１】浴室の概略斜視構成図である。
【図２】排水枡部の排水口にヘアキャッチャーを取り付けた状態の要部拡大斜視構成図である。
【図３】変更例を示し、排水トラップのフランジ部に堤防部材を取り付けた構成の要部拡大斜視構成図である。
【符号の説明】
【００１７】
１  浴室
２  浴槽
３  防水パン
３ａ  洗い場
３ｂ  排水枡部
３ｃ  排水口
４  ヘアキャッチャー
５  取手
５ａ  立上片
５ｂ  水平片
６  堤防部材
６ａ  固定部
６ｂ  堤防部
７  フランジ部
３２  凹部底面
【図１】
0004757032.tif 000002
【図２】
0004757032.tif 000003
【図３】
0004757032.tif 000004